(57)【特許請求の範囲】
【請求項１】
合成樹脂材料を用いて成形される樹脂成形品で円筒形状に形成され、環状に突出するフランジ部が中間に形成されるフェルールを収納するフェルール収容室と、側部の筒方向中間に該筒方向に直交する方向に突出する円柱形状の部分と該円柱形状の部分の先端に形成する該円柱形状の部分よりも大径で薄い円板形状の部分によって構成する一対の突出ピンとを有してなり、前記フェルール収容室は、その内径が前方と後方とで異なる段付き形状に形成され、該段付き部分を前記フェルールのフランジ部前面に当接するストッパとし、前記フェルール収容室の後方に可撓性を有するアーム状のランスを設け、該ランスを前記フェルールのフランジ部後面に係合して該フェルールを係止する一方の光コネクタハウジングと，
合成樹脂材料を用いて成形される樹脂成形品であって、前記一方の光コネクタハウジングとの嵌合が行われる部分である嵌合部と、該嵌合部に連成され、環状に突出するフランジ部が中間に形成されるフェルールを収容する収容部とを前後に有してなり、前記収容部の上部に可撓性を有するアーム状のランスを設け、該ランスを前記フェルールのフランジ部後面に係合して該フェルールを係止する他方の光コネクタハウジングと，
前記嵌合部に支持されるように取り付けられており、それぞれに所望の経路で開口し、前記突出ピンの円柱形状の部分を案内する孔と、前記円板形状の部分を案内する孔とで構成され前記一方の光コネクタハウジングの突出ピンを案内するカム孔を有する一対のレバー基部と、該一対のレバー基部を連結し、前記ランスを含む前記収容部の上部全体を覆うことが可能な板状の部分として形成する連結部と、前記連結部の側部に連続するように形成されており、回動操作する際に用いる一対の回動操作部とを有してなるレバー部材と，
を備え，
前記一方の光コネクタハウジングを前記他方の光コネクタハウジングの嵌合部に嵌合し、前記一方の光コネクタハウジングの一対の突出ピンを前記他方の光コネクタハウジングのレバー部材のカム孔に差し込み、前記レバー部材を回動操作し、回動操作完了した時に前記突出ピンと前記レバー部材の作用によって前記一方の光コネクタハウジングに収納されるフェルールと、前記他方の光コネクタハウジングに収納されるフェルールの先端同士の間隙が常にゼロとなるように構成したことを特徴とする光コネクタ。
【発明の詳細な説明】
【技術分野】
【０００１】
本発明は、光ファイバの光学的な結合を行うための光コネクタに関する。
【背景技術】
【０００２】
光通信における光学的結合部分の光損失を低減するために、スプリングの付勢力を用いてフェルールを付勢し、光学的結合部分の間隙を最小限に止める構造として、下記特許文献１に開示された技術が知られている。
【特許文献１】特開平１１−１７４２７７号公報  （第４−５頁、第１図）
【発明の開示】
【発明が解決しようとする課題】
【０００３】
ところで、上記従来技術にあっては、スプリングとそのスプリングを押さえ付けるための押さえ部材とが必要になることから、上記従来技術を利用する場合には、部品管理が煩雑になるとともに組み付けに手間が掛かるという問題点を有している。また、スプリングは、フェルールを取り付ける前に光ファイバに刺し通さなければならないことから、スプリングの取り付け忘れが生じた場合に、製造ロスを招くという問題点も有している。さらに、何らかの外力により光ファイバが引っ張られると、スプリングが収縮して、光損失を増大させるような大きな間隙が生じるという問題点も有している。
【０００４】
本発明は、上述した事情に鑑みてなされるもので、部品数が少なく組み付けも容易で、さらには、光損失が最小となり信頼性も確保される光コネクタを提供することを課題とする。
【課題を解決するための手段】
【０００５】
上記課題を解決するためなされた請求項１記載の本発明の光コネクタは、合成樹脂材料を用いて成形される樹脂成形品で円筒形状に形成され、環状に突出するフランジ部が中間に形成されるフェルールを収納するフェルール収容室と、側部の筒方向中間に該筒方向に直交する方向に突出する円柱形状の部分と該円柱形状の部分の先端に形成する該円柱形状の部分よりも大径で薄い円板形状の部分によって構成する一対の突出ピンとを有してなり、前記フェルール収容室は、その内径が前方と後方とで異なる段付き形状に形成され、該段付き部分を前記フェルールのフランジ部前面に当接するストッパとし、前記フェルール収容室の後方に可撓性を有するアーム状のランスを設け、該ランスを前記フェルールのフランジ部後面に係合して該フェルールを係止する一方の光コネクタハウジングと，
合成樹脂材料を用いて成形される樹脂成形品であって、前記一方の光コネクタハウジングとの嵌合が行われる部分である嵌合部と、該嵌合部に連成され、環状に突出するフランジ部が中間に形成されるフェルールを収容する収容部とを前後に有してなり、前記収容部の上部に可撓性を有するアーム状のランスを設け、該ランスを前記フェルールのフランジ部後面に係合して該フェルールを係止する他方の光コネクタハウジングと，
前記嵌合部に支持されるように取り付けられており、それぞれに所望の経路で開口し、前記突出ピンの円柱形状の部分を案内する孔と、前記円板形状の部分を案内する孔とで構成され前記一方の光コネクタハウジングの突出ピンを案内するカム孔を有する一対のレバー基部と、該一対のレバー基部を連結し、前記ランスを含む前記収容部の上部全体を覆うことが可能な板状の部分として形成する連結部と、前記連結部の側部に連続するように形成されており、回動操作する際に用いる一対の回動操作部とを有してなるレバー部材と，
を備え，
前記一方の光コネクタハウジングを前記他方の光コネクタハウジングの嵌合部に嵌合し、前記一方の光コネクタハウジングの一対の突出ピンを前記他方の光コネクタハウジングのレバー部材のカム孔に差し込み、前記レバー部材を回動操作し、回動操作完了した時に前記突出ピンと前記レバー部材の作用によって前記一方の光コネクタハウジングに収納されるフェルールと、前記他方の光コネクタハウジングに収納されるフェルールの先端同士の間隙が常にゼロとなるように構成したことを特徴としている。
【０００６】
このような特徴を有する本発明によれば、一方の光コネクタハウジングと、レバー部材を設けた他方の光コネクタハウジングとを嵌合させると、その嵌合過程の最初の段階では、レバー部材のカム孔に一方の光コネクタハウジングの突出ピンが差し込まれる。そして、この状態から次の段階、すなわちレバー部材を押し倒し方向に回動操作させると、突出ピンがカム孔に案内され、一方の光コネクタハウジングが他方の光コネクタハウジングに向けて引き寄せられる。この時、光ファイバ端末のフェルールは、一方の光コネクタハウジング、他方の光コネクタハウジングにそれぞれ収容係止されていることから、一方の光コネクタハウジングに収容係止されたフェルールは、他方の光コネクタハウジングに収容係止されたフェルールに向けて引き寄せられる。
【発明の効果】
【００１１】
本発明によれば、部品数を少なくすることができるという効果を奏する。また、組み付けを容易にすることができるという効果を奏する。さらには、光損失を最小にすることができ、光学的結合の信頼性を確保することができるという効果を奏する。
【発明を実施するための最良の形態】
【００１４】
以下、図面を参照しながら説明する。
図１は本発明の光コネクタの一実施の形態を示す嵌合前の全体斜視図である。また、図２は嵌合途中の全体斜視図、図３は嵌合後の全体斜視図、図４はフェルールの断面図、図５は一方の光コネクタの断面図、図６は他方の光コネクタの断面図、図７は図２の状態に対応する断面図、図８は図３の状態に対応する断面図、図９は図８の係止部分の拡大断面図、図１０は押し合いにより生じる力をランスで吸収させた状態を示す断面図、図１１及び図１２はレバー部材の押し上げ方向の回動操作に関する説明図である。
【００１５】
図１ないし図９において、引用符号１は光ファイバ２、２の光学的な結合を行うための本発明の光コネクタを示している。本発明の光コネクタ１は、光ファイバ２、２の各端末に取り付けられるフェルール３、３をそれぞれ収容係止した状態で互いに嵌合（矢線Ｐが嵌合方向、矢線Ｑが離脱方向とする）し合う一方の光コネクタハウジング４と他方の光コネクタハウジング５とを備えて構成されている。言い換えれば、本発明の光コネクタ１は、一方の光コネクタ１ａと他方の光コネクタ１ｂとを備えて構成されている。このような構成の本発明の光コネクタ１は、一方の光コネクタハウジング４に一対の突出ピン６、６を一体に形成し、他方の光コネクタハウジング５には、その他方の光コネクタハウジング５に対して回動自在（矢線Ｒが押し倒し方向、矢線Ｓが押し上げ方向とする）となるレバー部材７を設け、さらに、その突出ピン６、６とレバー部材７とによりフェルール３、３の先端同士の間隙が常にゼロとなるように設計したことが一つの特徴となっている。以下、各構成部材について説明する。
【００１６】
上記光ファイバ２、２は、どちらも同じものであって、本形態においては既知のＰＯＦ（Plastic Optical Fiber ）やＰＣＳ（Polymer Clad Silica ）が採用されている。光ファイバ２は、中心となるコアと、そのコアの上に設けられるクラッドとを備えて構成されている。このような光ファイバ２の上には、一次シース８及び二次シース９が設けられている。尚、これら構成からなるものを以下では光ファイバ素線１０というものとする。光ファイバ素線１０の各端末は、一次シース８及び二次シース９が所定の長さで除去されている。
【００１７】
上記フェルール３は、光ファイバ素線１０の各端末に取り付けられる略筒状の部材であって、その内径の大きさが三段階に分かれるように形成されている。フェルール３の一番小さい内径となる部分１１には、光ファイバ２が差し込まれるようになっている。また、中間の内径となる部分１２には、一次シース８が差し込まれるようになっている。さらに、一番大きな内径となる部分１３には、二次シース９が差し込まれるようになっている。フェルール３と光ファイバ素線１０は、例えば熱硬化性の接着剤により固定されている（接着剤を用いるのはフェルール３の材質が合成樹脂製の場合であり、金属の場合は加締めによる固定がなされるものとする）。
【００１８】
フェルール３の先端には、嵌合方向Ｐに対して直交する面に平行となる平坦な先端面１４が形成されている。その先端面１４の中央には、フェルール３の一番小さい内径となる部分１１が開口形成されている。フェルール３の各中間には、環状に突出するフランジ部１５が形成されている。そのフランジ部１５の前面には、後述するストッパ２７に当接する当接面１５ａが形成されている。また、フランジ部１５の各後面には、後述するランス２６によって係止される係止面１５ｂが形成されている。フェルール３の後部には、環状に突出する第二フランジ部１６が形成されている。
【００１９】
フェルール３の先端面１４とフランジ部１５との間には、環状のテーパ面１７と、環状且つ段付きとなる先端側筒部１８及び１９とが連続して形成されている。また、フェルール３のフランジ部１５と第二フランジ部１６との間には、環状の後端側筒部２０が形成されている。後端側筒部２０の外径は、係止面１５ｂの大きさを大きくとることができるように形成されている。フランジ部１５と第二フランジ部１６は、同じ直径に形成されている。
【００２０】
上記一方の光コネクタハウジング４は、合成樹脂材料を用いて成形される樹脂成形品であって、図示のような円筒形状に形成されている。一方の光コネクタハウジング４には、フェルール収容室２５と、ランス２６及びストッパ２７と、上部案内突起２８、２８と、下部案内突起２９、２９（一方のみ図示）と、レバー係止解除突起３０、３０と、ダストキャップ係止用突起３１と、突出ピン６、６とが形成されている。
【００２１】
フェルール収容室２５は、フェルール３の形状に合わせて形成されている。すなわち、フェルール収容室２５の中間から前端にかけては、フェルール３の先端側筒部１９の大きさに合わせて形成されている。また、フェルール収容室２５の中間から後端にかけては、フェルール３のフランジ部１５と第二フランジ部１６の大きさに合わせて形成されている。フェルール収容室２５は、その内径が前方と後方とで異なる段付き形状に形成されており、段付き部分がフェルール３に対するストッパ２７となっている。
【００２２】
ランス２６は、可撓性を有するアーム状の部分であって、一方の光コネクタハウジング４の下部且つフェルール収容室２５の上記後方に存するように形成されている。また、ランス２６は、フェルール３を通過させる際に一方の光コネクタハウジング４の外方に撓む形状に形成されるとともに、撓んだ状態から元の状態に復帰すると、フェルール３の係止面１５ｂを引っ掛けるような形状に形成されている。
【００２３】
上部案内突起２８、２８及び下部案内突起２９、２９は、嵌合の際に他方の光コネクタハウジング５の後述する案内溝３７及び３８に案内される片状の部分であって、上部案内突起２８、２８は、一方の光コネクタハウジング４の上部且つ中間に、下部案内突起２９、２９は、一方の光コネクタハウジング４の下部且つ前端側に、それぞれ所定の間隔をあけて形成されている。
【００２４】
レバー係止解除突起３０、３０は、一方の光コネクタハウジング４の側部且つ中間に形成されている。レバー係止解除突起３０、３０は、嵌合の際にレバー部材７の仮係止状態を解除する機能を有している。ダストキャップ係止用突起３１は、一方の光コネクタハウジング４の上部且つ上部案内突起２８、２８よりも前方に形成されている。ダストキャップ係止用突起３１は、図示しないダストキャップを係止するための機能を有している。尚、ダストキャップは、例えば嵌合を行う前までの間、光ファイバ２の端面等に埃が付着しないようにするための部材である。
【００２５】
上記突出ピン６、６は、一方の光コネクタハウジング４の側部且つ中間に形成されている。また、突出ピン６、６は、嵌合方向Ｐに直行する方向に突出するとともに、上記レバー部材７の後述するカム孔５３、５３に差し込まれるような大きさに形成されている。尚、本形態の突出ピン６、６は、円柱形状の部分と、これよりも大径で薄い円板形状の部分とで構成されている。
【００２６】
上記他方の光コネクタハウジング５は、合成樹脂材料を用いて成形される樹脂成形品であって、嵌合部３５と、その嵌合部３５に連成される収容部３６とを前後に有して図示のような形状に形成されている。嵌合部３５は、一方の光コネクタハウジング４との嵌合が行われる部分として形成されている。このような嵌合部３５は、一方の光コネクタハウジング４が差し込まれて嵌合し合う際に、少なくとも一方の光コネクタハウジング４のランス２６の一部を覆うことができる大きさに形成されている。
【００２７】
嵌合部３５には、案内溝３７と、その案内溝３７の反対側に形成される案内溝３８、３８と、スリット３９、３９と、図示しないレバー回動軸とが形成されている。案内溝３７は、一方の光コネクタハウジング４の上部案内突起２８、２８を案内する溝であって、嵌合部３５の上部に形成されている。案内溝３８、３８は、一方の光コネクタハウジング４の下部案内突起２９、２９を案内する溝であって、嵌合部３５の下部に形成されている。スリット３９、３９は、一方の光コネクタハウジング４の突出ピン６、６を案内する部分であって、嵌合部３５の側部に形成されている。図示しないレバー回動軸は、レバー部材７を回動自在に取り付けるための部分であって、スリット３９、３９の後方で外方に突出するように形成されている。
【００２８】
収容部３６には、フェルール収容室４０と、ランス４１及びストッパ４２と、レバー係止部４３とが形成されている。フェルール収容室４０は、その前端が嵌合部３５の奥壁４４に開口するように形成されている。奥壁４４の開口部分は、フェルール３の先端側筒部１８の外側に略円筒形状のスリーブ４５を取り付けた時の大きさに合わせて形成されている。フェルール収容室４０は、奥壁４４の開口部分よりも後方がフェルール３のフランジ部１５と第二フランジ部１６の大きさに合わせて形成されている。フェルール収容室４０は、その内径が奥壁４４の開口部分とその後方とで異なる段付き形状に形成されている。段付き部分は、フェルール３及びスリーブ４５に対するストッパ４２となっている。
【００２９】
尚、上記スリーブ４５には、一方の光コネクタハウジング４に収容されたフェルール３の先端側筒部１８が嵌合時に差し込まれて案内されるようになっている。
【００３０】
ランス４１は、可撓性を有するアーム状の部分であって、収容部３６の上部に存するように形成されている。また、ランス４１は、フェルール３を通過させる際に、収容部３６の外方に撓む形状に形成されるとともに、撓んだ状態から元の状態に復帰すると、フェルール３の係止面１５ｂを引っ掛けるような形状に形成されている。レバー係止部４３は、収容部３６の上部且つランス４１よりも後方に形成されている。レバー係止部４３は、レバー部材７の後述する係止突起５６を係止するための部分として形成されている。
【００３１】
上記レバー部材７は、嵌合部３５の図示しないレバー回動軸に支持されるように取り付けられており、一対のレバー基部５０、５０と、これらを連結する連結部５１と、一対の回動操作部５２、５２とを有して図示のような形状に形成されている。レバー基部５０、５０は、それぞれ嵌合部３５の側部に対して対向するように配置される部分であって、所望の経路で開口するカム孔５３、５３を有している。このようなレバー基部５０、５０には、仮係止部５４、５４が形成されている。その仮係止部５４、５４は、嵌合部３５のスリット３９、３９の縁部に引っ掛かる部分であって、一方の光コネクタハウジング４のレバー係止解除突起３０、３０の作用により仮係止状態が解除されるようになっている。尚、レバー部材７の仮係止状態において、カム孔５３、５３の開口端部は、嵌合部３５のスリット３９、３９の位置に合うように設計されている。カム孔５３、５３は、突出ピン６、６の上記円柱形状の部分を案内する孔と、上記円板形状の部分を案内する孔とで構成されている。
【００３２】
連結部５１は、収容部３６の上部全体を覆うことが可能な板状の部分として形成されている。このような連結部５１には、その後端から前端に向けてスリット５５が形成されている。また、連結部５１の後端近傍には、収容部３６のレバー係止部４３に係止される係止突起５６が形成されている。係止突起５６は、スリット５５に連続するように形成されている。回動操作部５２、５２は、片状の部分であって、連結部５１の側部に連続するように形成されている。回動操作部５２、５２は、レバー部材７を回動操作する際に用いられるようになっている。回動操作部５２、５２の形状については後述する。
【００３３】
尚、レバー部材７及び突出ピン６、６は、電気コネクタで用いられるＬＩＦ機構と比べて構造が似ているものの、その用途はまったく異なっている。すなわち、電気コネクタのＬＩＦ機構は、多数の端子同士の挿入力を低減させるために用いられているが、本発明の場合においては、光損失を常に最小にするために、引き寄せ用として用いられている。
【００３４】
上記構成において、光ファイバ素線１０の端末にフェルール３を取り付け、そのフェルール３を一方の光コネクタハウジング４の後端から内部に向けて差し込むと、フェルール３がフェルール収容室２５に収容されて、その結果、光コネクタ１を構成する一方の光コネクタ１ａの組付けが完了する。フェルール３は、ランス２６及びストッパ２７により、嵌合方向Ｐ及び離脱方向Ｑの移動が規制される。
【００３５】
また、上記同様に光ファイバ素線１０の端末にフェルール３を取り付け、そのフェルール３を他方の光コネクタハウジング５の後端から収容部３６の内部に向けて差し込むと、フェルール３がフェルール収容室４０に収容されて、その結果、光コネクタ１を構成する他方の光コネクタ１ｂの組付けが完了する。フェルール３は、ランス４１及びストッパ４２により、嵌合方向Ｐ及び離脱方向Ｑの移動が規制される。尚、この時、レバー部材７は、連結部５１等が持ち上がった仮係止状態になっている。
【００３６】
次に、他方の光コネクタ１ｂに対して一方の光コネクタ１ａを嵌合方向Ｐの方向に移動させ、光学的な結合を行うための嵌合を開始すると、先ず、一方の光コネクタハウジング４が他方の光コネクタハウジング５の嵌合部３５に差し込まれる。この時、一方の光コネクタハウジング４の下部案内突起２９、２９が他方の光コネクタハウジング５の嵌合部３５の案内溝３８、３８によって案内される。そして、一方の光コネクタハウジング４の突出ピン６、６が他方の光コネクタハウジング５の嵌合部３５のスリット３９、３９に差し込まれて案内されると、その後、レバー部材７のカム孔５３、５３の開口端部に差し込まれる。この時、一方の光コネクタハウジング４の上部案内突起２８、２８が他方の光コネクタハウジング５の嵌合部３５の案内溝３７によって案内されるとともに、一方の光コネクタハウジング４のレバー係止解除突起３０、３０がレバー部材７の仮係止部５４、５４を押圧してレバー部材７の仮係止状態を解除する。レバー部材７は、矢線Ｒの方向へ押し倒す回動操作が可能な状態になる。
【００３７】
続いて、レバー部材７を矢線Ｒの方向へ押し倒す回動操作を行うと、突出ピン６、６がカム孔５３、５３に案内される。そして、これに伴って一方の光コネクタ１ａが他方の光コネクタ１ｂに向けて引き寄せられる。すなわち、一方の光コネクタハウジング４が他方の光コネクタハウジング５に向けて引き寄せられるとともに、一方の光コネクタハウジング４に収容されたフェルール３の先端面１４が他方の光コネクタハウジング５に収容されたフェルール３の先端面１４に向けて引き寄せられる。
【００３８】
最後に、レバー部材７の係止突起５６を他方の光コネクタハウジング５の収容部３６のレバー係止部４３に係止させると、光学的な結合が完了する。この時、一方の光コネクタハウジング４に収容されたフェルール３に対する係止部分（ランス２６）は、他方の光コネクタハウジング５の嵌合部３５によって覆われる。また、他方の光コネクタハウジング５に収容されたフェルール３に対する係止部分（ランス４１）も、レバー部材７の連結部５１によって覆われる。どちらもフェルール３に対する係止解除が不能な状態になる。
【００３９】
ここで、光学的な結合部分について説明すると、本発明の光コネクタ１は、レバー部材７を矢線Ｒの方向へ押し倒す回動操作の完了時に、フェルール３、３の先端面１４、１４同士がちょうど面接触、又は先端面１４、１４同士の押し合いが生じるように各部の寸法が設定されている。従って、本発明の光コネクタ１は、レバー部材７の回動操作が完了すると、フェルール３、３の先端面１４、１４同士の間隙が常にゼロとなるようになっている。尚、先端面１４、１４同士の押し合いが生じる場合には、その押し合いにより生じる力を図１０に示されるようにランス２６の変形によって吸収させるようになっている（変形はこの限りでないものとする。例えばカム孔５３、５３を部分的に変形させる等でもよいものとする）。図１０に示されるランス２６は、特許請求の範囲に記載した変形部に相当する。
【００４０】
図１１及び図１２を参照しながらレバー部材７の矢線Ｓ方向（図１参照）の押し上げ回動操作について説明する。回動操作部５２、５２は、その一方の肉厚が他方の肉厚よりも薄く形成されている（図では右側が薄い）。また、上記一方の回動操作部５２と収容部３６との間には、肉厚差による間隙５７が形成されている。このような構造において、回動操作部５２、５２を摘み、内側に向けて力を加えると、間隙５７及びスリット５５によって、上記一方の回動操作部５２が撓み、これに伴って、係止突起５６の係止状態が解除される。そして、レバー部材７は、矢線Ｓ方向（図１参照）に押し上げ可能な状態になる。
【００４１】
以上、図１ないし図１２を参照しながら説明してきたように、本発明の光コネクタ１は、従来用いられてきたスプリングとそのスプリングを押さえ付けるための押さえ部材とを必要にしないことから、従来よりも部品数を少なくすることができるという効果を奏する。また、部品数の低減に伴い、組み付けを従来よりも容易にすることができるという効果を奏する。さらに、フェルール３、３の先端同士の間隙を常にゼロにしていることから、光損失を最小にすることができるという効果を奏する。さらにまた、何らかの外力により引っ張りが生じてもフェルール３、３の係止状態が安定していることから、光損失を増大させるような大きな間隙の発生を防止することができるという効果を奏する。
【００４２】
その他、本発明は本発明の主旨を変えない範囲で種々変更実施可能なことは勿論である。尚、複数の光ファイバ同士を光学的に結合する多芯タイプの光コネクタにも適用することが可能であるのは言うまでもない。
【図面の簡単な説明】
【００４３】
【図１】本発明による光コネクタの一実施の形態を示す嵌合前の全体斜視図である。
【図２】嵌合途中の全体斜視図である。
【図３】嵌合後の全体斜視図である。
【図４】フェルールの断面図である。
【図５】一方の光コネクタの断面図である。
【図６】他方の光コネクタの断面図である。
【図７】図２の状態に対応する断面図である。
【図８】図３の状態に対応する断面図である。
【図９】図８の係止部分の拡大断面図である。
【図１０】押し合いにより生じる力をランスで吸収させた状態を示す断面図である。
【図１１】レバー部材の押し上げ方向の回動操作に関する説明図（係止解除前の後方から見た図）である。
【図１２】レバー部材の押し上げ方向の回動操作に関する説明図（係止解除後の後方から見た図）である。
【符号の説明】
【００４４】
１  光コネクタ
２  光ファイバ
３  フェルール
４  一方の光コネクタハウジング
５  他方の光コネクタハウジング
６  突出ピン
７  レバー部材
８  一次シース
９  二次シース
１０  光ファイバ素線
１４  先端面（先端）
１５  フランジ部
１５ａ  当接面
１５ｂ  係止面
１６  第二フランジ部
２５  フェルール収容室
２６  ランス（変形部、係止部分）
２７  ストッパ
３０  レバー係止解除突起
３５  嵌合部
３６  収容部
３９  スリット
４０  フェルール収容室
４１  ランス（係止部分）
４２  ストッパ
４３  レバー係止部
４４  奥壁
４５  スリーブ
５０  レバー基部
５１  連結部
５２  回動操作部
５３  カム孔
５４  仮係止部
５６  係止突起
５７  間隙
【図１】
0004731123.tif 000002
【図２】
0004731123.tif 000003
【図３】
0004731123.tif 000004
【図４】
0004731123.tif 000005
【図５】
0004731123.tif 000006
【図６】
0004731123.tif 000007
【図７】
0004731123.tif 000008
【図８】
0004731123.tif 000009
【図９】
0004731123.tif 000010
【図１０】
0004731123.tif 000011
【図１１】
0004731123.tif 000012
【図１２】
0004731123.tif 000013